(57)【特許請求の範囲】
【請求項１】
携帯端末装置の外部指定モードの設定内容を定める情報要素を格納する非接触型のＩＣタグと、
自装置が給電中であるときは、前記ＩＣタグを検出して、該ＩＣタグに格納されている前記情報要素を読み取り、自装置の通常モードの設定内容を前記外部指定モードの設定内容に書き換える一方、給電が終了すると、自装置の前記通常モードの設定内容に戻す機能を有する前記携帯端末装置とを備えてなることを特徴とする携帯端末システム。
【請求項２】
携帯端末装置の外部指定モードの設定内容及びその保持期間を定める情報要素を格納する非接触型のＩＣタグと、
自装置がユーザ操作により外部指定モードになったときは、前記ＩＣタグを検出して、該ＩＣタグに格納されている前記情報要素を読み取り、自装置の通常モードの設定内容を前記外部指定モードの設定内容に書き換え、書き換え後の当該設定内容の前記保持期間が満了する前に再び前記ＩＣタグの検出を行い、該検出の結果、前記ＩＣタグが検出されれば、前記外部指定モードの設定内容を保持し、前記ＩＣタグが検出されなければ、自装置の前記通常モードの設定内容に戻す機能を有する前記携帯端末装置とを備えてなることを特徴とする携帯端末システム。
【請求項３】
前記携帯端末装置は、書込み可能な前記ＩＣタグに格納されている前記情報要素をユーザが指定した内容に書き換える機能を有していることを特徴とする請求項１又は２記載の携帯端末システム。
【請求項４】
前記情報要素には、電源ＯＮ／ＯＦＦ指示、電波ＯＮ／ＯＦＦ指示、マナーモードＯＮ／ＯＦＦ指示、バイブレータＯＮ／ＯＦＦ指示、及び、カメラＯＮ／ＯＦＦ指示のうち、少なくとも１の設定項目を含むことを特徴とする請求項１又は２記載の携帯端末システム。
【請求項５】
前記ＩＣタグは、ＲＦＩＤアンテナを備え、電池を内蔵していない無電池状態であることを特徴とする請求項１又は２記載の携帯端末システム。
【請求項６】
通常モードの設定内容を前記外部指定モードの設定内容に切り換えることができる携帯端末装置であって、
自装置の外部指定モードの設定内容を定める情報要素を格納する非接触型のＩＣタグから前記情報要素を読み取る機能と、
自装置が給電中であるときは、前記ＩＣタグを検出して、該ＩＣタグに格納されている前記情報要素を読み取り、自装置の前記通常モードの設定内容を前記外部指定モードの設定内容に書き換える一方、給電が終了すると、自装置の前記通常モードの設定内容に戻す機能とを有してなることを特徴とする携帯端末装置。
【請求項７】
通常モードの設定内容を前記外部指定モードの設定内容に切り換えることができる携帯端末装置であって、
自装置の外部指定モードの設定内容及びその保持期間を定める情報要素を格納する非接触型のＩＣタグから前記情報要素を読み取る機能と、
自装置がユーザ操作により外部指定モードになったときは、前記ＩＣタグを検出して、該ＩＣタグに格納されている前記情報要素を読み取り、自装置の通常モードの設定内容を前記外部指定モードの設定内容に書き換え、書き換え後の当該設定内容の前記保持期間が満了する前に再び前記ＩＣタグの検出を行い、該検出の結果、前記ＩＣタグが検出されれば、前記外部指定モードの設定内容を保持し、前記ＩＣタグが検出されなければ、前記通常モードの設定内容に戻す機能とを有してなることを特徴とする携帯端末装置。
【請求項８】
前記携帯端末装置は、書込み可能な前記ＩＣタグに格納されている前記情報要素をユーザが指定した内容に書き換える機能を有していることを特徴とする請求項６又は７記載の携帯端末装置。
【請求項９】
前記情報要素には、電源ＯＮ／ＯＦＦ指示、電波ＯＮ／ＯＦＦ指示、マナーモードＯＮ／ＯＦＦ指示、バイブレータＯＮ／ＯＦＦ指示、及び、カメラＯＮ／ＯＦＦ指示のうち、少なくとも１の設定項目を含むことを特徴とする請求項６又は７記載の携帯端末装置。
【請求項１０】
前記ＩＣタグは、ＲＦＩＤアンテナを備え、電池を内蔵していない無電池状態であることを特徴とする請求項６又は７記載の携帯端末装置。
【請求項１１】
請求項２記載の携帯端末システムに用いられる非接触型ＩＣのタグであって、
携帯端末装置の外部指定モードの設定内容及びその保持期間を定める情報要素が格納されていることを特徴とする非接触型ＩＣタグ。
【請求項１２】
請求項６記載の携帯端末装置のための非接触型ＩＣのタグであって、
携帯端末装置の外部指定モードの設定内容及びその保持期間を定める情報要素が格納されていることを特徴とする非接触型ＩＣタグ。
【請求項１３】
自装置の外部指定モードの設定内容を定める情報要素を格納する非接触型のＩＣタグから前記情報要素を読み取る機能を備え、自装置の通常モードの設定内容を前記外部指定モードの設定内容に切り換える携帯端末装置の設定方法であって、
自装置が給電中であるときは、前記ＩＣタグを検出する第１のステップと、
前記ＩＣタグが検出されると、該ＩＣタグに格納されている前記情報要素を読み取り、前記通常モードの設定内容を前記外部指定モードの設定内容に書き換える第２のステップと、
給電が終了すると、自装置の前記通常モードの設定内容に戻す第３のステップとを含んでなることを特徴とする携帯端末装置の設定方法。
【請求項１４】
自装置の外部指定モードの設定内容及びその保持期間を定める情報要素を格納する非接触型のＩＣタグから前記情報要素を読み取る機能を備え、自装置の通常モードの設定内容を前記外部指定モードの設定内容に切り換える携帯端末装置の設定方法であって、
自装置がユーザ操作により外部指定モードになったときは、前記ＩＣタグを検出する第１のステップと、
前記ＩＣタグが検出されると、該ＩＣタグに格納されている前記情報要素を読み取り、通常モードの設定内容を前記外部指定モードの設定内容に書き換える第２のステップと、
書き換え後の前記設定内容の前記保持期間が満了する前に再び前記ＩＣタグの検出を行い、該検出の結果、前記ＩＣタグが検出されれば、前記外部指定モードの設定内容を保持し、前記ＩＣタグが検出されれば、前記外部指定モードの設定内容を保持し、前記ＩＣタグが検出されなければ、自装置の前記通常モードの設定内容に戻す第３のステップとを含んでなることを特徴とする携帯端末装置の設定方法。
【請求項１５】
コンピュータに請求項１３又は１４に記載の携帯端末装置の設定方法を実行させるための設定プログラム。
【発明の詳細な説明】
【技術分野】
【０００１】
この発明は、非接触型ＩＣタグ、該タグを用いる携帯端末システム、携帯端末装置、該装置の設定方法及び設定プログラムに関する。
【背景技術】
【０００２】
近年、携帯端末装置の普及率が高まりその使用方法は人さまざまであるが、携帯端末装置の普及に伴って使用者に対して様々なマナーが要求されている。例えば、携帯端末装置の使用方法が制限されるエリア（例えば、航空機の機内、病院、コンサートホール、美術館、図書館、電車の車内、又は会議室など）においては、それぞれのエリアに適した使用制限がる。したがって、ユーザは、手動でそのエリアにふさわしい携帯端末装置の設定変更（例えば、電源ＯＦＦ、電波ＯＮ／ＯＦＦ、マナーモード（着信音やアラーム音などが鳴らない状態）のＯＮ／ＯＦＦなど）を行う必要がある。しかし、携帯端末装置の設定変更を行う操作は設定内容ごとにバラバラであり且つ煩雑であるため、ユーザは設定変更の操作を忘れがちである。さらに、現在の社会通念では、ユーザ個人の裁量で設定変更を行うため、統一的に設定変更を行えるようには構成されていない。
【０００３】
また、近年の携帯端末装置には、非接触型ＩＣタグが埋め込まれているものや、ＩＣタグリーダ・ライタの機能を備えたものがある。そこで、前述のような設定変更操作の煩雑さを解消するために、携帯端末装置の使用内容を制限するエリアの入退場ゲートにＩＣタグリーダ・ライタを設置し、携帯端末装置に内蔵された非接触型ＩＣタグをかざすことでＩＣタグリーダ・ライタと通信を行い、ＩＣタグリーダ・ライタからそのエリアにふさわしい設定情報（例えば、電源ＯＦＦの指示）を携帯端末装置の非接触型ＩＣタグへ送信し、その設定情報に従って携帯端末装置の設定内容を変更する技術が提案されている（例えば、特許文献１参照）。
【０００４】
また、持ち歩くときはマナーモードに設定している携帯端末装置であっても、自宅にいるときや携帯端末装置専用のホルダで充電中など特定の条件下では、マナーモードを解除した状態にしたい場合がある。例えば、アラーム付きの携帯端末装置を目覚まし時計として使用する場合は、持ち歩くときはマナーモードに設定していても、就床時にはマナーモードを解除してアラーム音が鳴動する状態にしておく必要がある。このようなときには、就床前にマナーモードを解除し、起床時にマナーモードに設定するというユーザ操作を毎日繰り返さなければならない。また、持ち歩くときにはマナーモードに設定していても、自宅の所定の場所に携帯端末装置を置くときは着信音を聞き取るためにマナーモードを解除したい場合もある。そのような場合には、外出と帰宅のたびにマナーモードの設定と解除を繰り返さなければならない。
【０００５】
そこで、このような設定／解除の操作の煩わしさを解消するために、ＩＣタグリーダ・ライタを備える携帯端末装置が、非接触型ＩＣタグの置かれているエリア内（室内）に入ったときに、その非接触型ＩＣタグと通信を行って指定されたモードに切り替え、そのエリアから外に出たときには別なモードに切り替える技術も提案されている（例えば、特許文献２参照）。
【特許文献１】特開２００６−２６２１１３号公報
【特許文献２】特開２００５−３４１１８９号公報
【発明の開示】
【発明が解決しようとする課題】
【０００６】
しかしながら、上記従来技術においては、携帯端末装置の使用方法を制限するエリアであっても、場所によってはＩＣタグリーダ・ライタを設置することが困難な場所もある。また、携帯端末装置の使用方法を制限するエリアに設置されたＩＣタグリーダ・ライタが、携帯端末装置に搭載された非接触型ＩＣタグを使う方式を選択していない場合は、通信の対象外となるために携帯端末装置の設定変更を行うことができない。したがって、特定のエリアに入場する全ての携帯端末装置を設定変更の対象とすることができないために期待する効果が得られないことがある。
【０００７】
また、数メートルの通信が可能な非接触型ＩＣタグとＩＣタグリーダ・ライタを使用して外出と帰宅のたびにマナーモードの設定と解除を繰り返す場合は、ＩＣタグリーダ・ライタが非接触型ＩＣタグの検出を周期的に行うために、携帯端末装置の消費電力が大幅に増加してしまう。さらに、非接触型ＩＣタグの検出誤差により、期待通りの設定動作を行うことができない場合もある。また、数メートルの通信が可能な非接触型ＩＣタグとＩＣタグリーダ・ライタを使用するため、ユーザの知らないうちに設定モードが変更されていることもある。
【０００８】
さらに、特許文献１に開示された技術は、ＩＣタグリーダ・ライタに設定されている情報を携帯端末装置の無線ＩＣタグに書き込むことによって、携帯端末装置の設定内容を変更するものである。しかし、ＩＣタグリーダ・ライタに設定されている情報は、マナーモードとか電源ＯＦＦといった携帯端末装置の設定内容である。したがって、例えば、電車内での利用を例に挙げると、ＩＣタグリーダ・ライタにマナーモードを設定する情報を書き込んであると、マナーモードに設定変更することしかできない。言い換えると、同じ電車内であっても、一般席ではマナーモードに設定し、優先席では電源ＯＦＦモードに設定する、というようなきめ細かな設定を自動で行うことができない。
【０００９】
また、特許文献２に開示された技術は、非接触型ＩＣタグに割り付けられているＩＤ情報に対して、携帯端末装置の内部にユーザが指定できる非接触型ＩＣタグ設置場所データとのリンク情報があり、１つの非接触型ＩＣタグに対して一つの非接触型ＩＣタグ設置場所データが１対１で結び付けられている。したがって、初期状態の非接触型ＩＣタグに対しては、非接触型ＩＣタグ設置場所データとのリンク情報がないため、ユーザは、この非接触型ＩＣタグと非接触型ＩＣタグ設置場所データとを割り付ける操作を行わなければならない。そのため、割り付け操作を行っていない携帯端末装置は、初めて訪れる公共施設で設置されている非接触型ＩＣタグなどには対応することができない。また、携帯端末装置にこのような割り付け操作を行うことは比較的面倒である。
【００１０】
この発明は、このような事情に鑑みてなされたものであり、非接触型ＩＣタグと通信可能なＩＣタグリーダ・ライタを具備する携帯端末装置を非接触型ＩＣタグにかざし、ユーザ操作でモード変更を行うだけで、携帯端末装置の設定内容を、ユーザが指定した内容、あるいは、非接触型ＩＣタグが指定した内容に変更できる携帯端末システム、この携帯端末システムを構成する携帯端末装置と非接触型ＩＣタグ、携帯端末装置の設定方法、及びその方法をコンピュータに実行させる設定プログラムを提供することを目的とする。
【課題を解決するための手段】
【００１１】
上記の課題を解決するために、この発明の第１の構成は、携帯端末システムに係り、携帯端末装置の外部指定モードの設定内容を定める情報要素を格納する非接触型のＩＣタグと、自装置が給電中であるときは、前記ＩＣタグを検出して、該ＩＣタグに格納されている前記情報要素を読み取り、自装置の通常モードの設定内容を前記外部指定モードの設定内容に書き換える一方、給電が終了すると、自装置の前記通常モードの設定内容に戻す機能を有する前記携帯端末装置とを備えてなることを特徴としている。
【００１２】
また、この発明の第２の構成は、携帯端末システムに係り、携帯端末装置の外部指定モードの設定内容及びその保持期間を定める情報要素を格納する非接触型のＩＣタグと、自装置がユーザ操作により外部指定モードになったときは、前記ＩＣタグを検出して、該ＩＣタグに格納されている前記情報要素を読み取り、自装置の通常モードの設定内容を前記外部指定モードの設定内容に書き換え、書き換え後の当該設定内容の前記保持期間が満了する前に再び前記ＩＣタグの検出を行い、該検出の結果、前記ＩＣタグが検出されれば、前記外部指定モードの設定内容を保持し、前記ＩＣタグが検出されなければ、自装置の前記通常モードの設定内容に戻す機能を有する前記携帯端末装置とを備えてなることを特徴としている。
【発明の効果】
【００１３】
この発明の携帯端末システムによれば、携帯端末装置は、ユーザ指示又は周期的に非接触型ＩＣタグを検出して、非接触型ＩＣタグに格納されている情報要素を読み取って自己の設定内容を変更する。さらに、非接触型ＩＣタグに書き込まれた詳細設定内容、あるいは非接触型ＩＣタグ書き込まれた情報に対応させて携帯端末装置にユーザが指定した設定内容に基づいて、設定値の再度の変更を行うことができる。
すなわち、携帯端末装置を非接触型ＩＣタグにかざし、少ない操作によって、非接触型ＩＣタグに記録された設定値に携帯端末装置の設定内容を変更することができる。これにより、公共施設（航空機の機内の座席付近やコンサート会場内の座席付近など）に非接触型ＩＣタグを設置し、携帯端末装置を所持しているユーザに対して、その場所に適した設定値に携帯端末装置の設定内容を変更することができる。
また、個人の自宅や会社の自席といった限られた場所で携帯端末装置を使用する場合も、該当する場所に設定変更用の非接触型ＩＣタグを設置することで、それらの場所で携帯端末装置を使用する適切なモードにユーザが任意で設定変更することができる。
さらに、非接触型ＩＣタグは、ＲＦＩＤ（(Radio Frequency Identification；無線周波数識別)）アンテナを備え、電源の供給を必要としないパッシブタグであるため、小型かつ薄型化が可能であり、設置場所や設置形状を選ばないメリットがある。
【発明を実施するための最良の形態】
【００１４】
この発明の携帯端末システムは、携帯端末装置に内蔵されたＩＣタグリーダ・ライタが特定の非接触型ＩＣタグの情報を読み取ることにより、その非接触型ＩＣタグに対応した携帯端末装置内で指定された設定値（エリア情報）、又は、その非接触型ＩＣタグに書き込まれた設定値（エリア情報）に携帯端末装置の設定内容を変更する。さらに、携帯端末装置は、設定された設定値（エリア情報）から細分化された詳細設定を行えるように構成されている。例えば、携帯端末装置が電車内に入ると、電車の入口に設置された非接触型ＩＣタグと携帯端末装置のＩＣタグリーダ・ライタとの通信により、携帯端末装置には「電車内」という設定値（エリア情報）が設定される。さらに、ユーザ設定により、「電車内」の設定値（エリア情報）から、詳細設定として「マナーモード」又は「電源ＯＦＦ」を選択設定することができる。
【００１５】
以下、この発明の実施形態の幾つかについて図面を参照しながら詳細に説明する。なお、以下に説明する各実施形態において、同一の構造要素は同一の符号を付して示し、かつ重複する説明は省略する。
【実施形態１】
【００１６】
図１は、この発明の第１の実施形態に係る携帯端末システムの構成図である。まず、携帯端末システム３０の構成について説明する。携帯端末システム３０は、ＩＣタグリーダ・ライタ１１、携帯端末記憶部１２、及び携帯端末制御部１３を備える携帯端末装置１０と、通信部２１、ＩＣタグ記憶部２２、及びＩＣタグ制御部２３を備える非接触型ＩＣタグ２０とによって構成されている。
【００１７】
ＩＣタグリーダ・ライタ１１は、非接触型ＩＣタグ２０との通信によってその非接触型ＩＣタグ２０に記憶されている設定値（エリア情報）を読み取って、携帯端末装置１０の設定内容を変更すると共に、詳細設定内容を非接触型ＩＣタグ２０に書き込み、設定内容を詳細設定内容から選択した所望の設定値に再度変更する。携帯端末記憶部１２は、携帯端末装置１０の設定値（エリア情報）を保存しておく。携帯端末制御部１３は、ＩＣタグリーダ・ライタ１１及び携帯端末記憶部１２の制御を行う。
【００１８】
通信部２１は、携帯端末装置１０のＩＣタグリーダ・ライタ１３と通信を行う。ＩＣタグ記憶部２２は、非接触型ＩＣタグ２０の情報要素を書き込んで記憶しておく。ＩＣタグ制御部２３は、通信部２１及び非接触型ＩＣタグ記憶部２２の制御を行う。
【００１９】
次に、携帯端末システム３０の動作について説明する。ユーザが、携帯端末装置１０を非接触型ＩＣタグ２０にかざし、携帯端末装置１０のモード変更に割り付けられたキー（図示せず）を押下するなどの操作を行う。これによって、携帯端末装置１０のＩＣタグリーダ・ライタ１１と非接触型ＩＣタグ２０の通信部２１との間で通信が行われ、ＩＣタグリーダ・ライタ１１が非接触型ＩＣタグ２０に対して検出信号を周期的に送信する。
【００２０】
そして、非接触型ＩＣタグ２０の通信部２１がこの検出信号を感知したとき、対応する応答信号が通信部２１から携帯端末装置１０のＩＣタグリーダ・ライタ１１へ返信される。その後、携帯端末装置１０のＩＣタグリーダ・ライタ１１と非接触型ＩＣタグ２０の通信部２１との間で相互認証を行い、通信路が確立される。なお、ＩＣタグリーダ・ライタ１１と通信部２１との間の通信は暗号化されている場合もある。
【００２１】
このようにして携帯端末装置１０のＩＣタグリーダ・ライタ１１と非接触型ＩＣタグ２０の通信部２１との間で通信が確立されると、ＩＣタグリーダ・ライタ１１は、通信部２１を通して、非接触型ＩＣタグ２０のＩＣタグ記憶部２２に書き込まれた情報要素を読み出す。ここで、ＩＣタグリーダ・ライタ１１によって読み出された情報要素にしたがって、携帯端末装置１０は、携帯端末記憶部１２に保存された設定値を、ユーザが前もって指定した非接触型ＩＣタグ２０に対応する内容（エリア情報）に設定変更するか、又は、非接触型ＩＣタグ２０の非接触型ＩＣタグ記憶部２２に書き込まれた内容（エリア情報）に変更する。
【００２２】
このとき携帯端末装置１０で設定変更されたエリア情報は、例えば、「電車内」とか「コンサートホール」とか「美術館」というような設定変更する場所に関する設定内容である。したがって、ユーザは、このエリア情報を確認して、そのエリア内で細分化されている詳細設定を行う。もちろん、携帯端末装置１０には、それぞれのエリア情報に対応した詳細設定の項目がプログラムされているので、ユーザは、携帯端末装置１０に該当するエリア情報が設定されたら、簡単なユーザ操作によってそのエリア情報に対応する所望の詳細設定を行うことができる。例えば、電車に乗るときに、帯端末装置１０に「電車内」というエリア情報が設定されたら、ユーザは、優先席に座るときは、「電車内」の表示項目から「電源ＯＦＦ」を選択設定すればよい。また、一般席に座るときは、「電車内」の表示項目から「マナーモード」を選択設定すればよい。
【００２３】
図２は、この発明の第1の実施形態に係る携帯端末装置のユーザ操作を表した概念図である。非接触型ＩＣタグ２０には、あらかじめ携帯端末装置１０の設定変更内容が書き込まれている。図２において、（ａ）通常モードの携帯端末装置１０を非接触型ＩＣタグ２０にかざすと、（ｂ）その携帯端末装置１０は、非接触型ＩＣタグ２０に書き込まれた設定変更内容（例えば、「電車内」）にモード切替が実行される。（ｃ）携帯端末装置１０においてモード切替を割り当てられたキーを押下するなどのユーザ操作を行うと、外部指定モード（非接触型ＩＣタグ２０に対応する設定値に変更する状態）に、携帯端末装置１０の設定内容が変更される。例えば、モード切替を割り当てられたキーを押下すると、携帯端末装置１０の設定内容が「電源ＯＦＦ」に変更される。
【００２４】
図３は、図１に示す非接触型ＩＣタグ２０に書き込まれる項目例を示す図である。すなわち、図３は、ユーザがあらかじめ設定した設定値に携帯端末装置１０の設定内容を変更する場合の非接触型ＩＣタグ２０の項目例を示している。図４は、図1に示す非接触型ＩＣタグ２０に記録されている設定変更内容の項目例を示す図である。
【００２５】
図３と図４の共通な項目としては、設定変更用の非接触型ＩＣタグ２０を示すＩＣタグ識別子と、携帯端末装置１０側で変更内容を持つユーザ指定方式か、非接触型ＩＣタグ２０内に詳細な設定値をもつ非接触型ＩＣタグ指定方式かを示す指定方式と、利用場所を特定する分類（例えば、空港使用モード（電源ＯＦＦと電波ＯＦＦの指定）、電波ＯＦＦモード、マナーモード、ユーザ指定モードなど）を示すモード分類である。
【００２６】
図３の項目例では、携帯端末装置１０が識別することのできる固有番号を持ち、図４の項目例では、非接触型ＩＣタグ２０で細かく指定する詳細設定項目（電源ＯＮ／ＯＦＦ指示、電波ＯＮ／ＯＦＦ指示、マナーモードＯＮ／ＯＦＦ指示、バイブレータＯＮ／ＯＦＦ指示、カメラＯＮ／ＯＦＦ指示など）と、これらの設定をどれだけの時間に亘って保持するかを示す設定保持期間を備えている。
【００２７】
また、図４の項目例で示す構成の非接触型ＩＣタグ２０の場合は、この項目例を読み取った携帯端末装置が、固有番号に対応するユーザが設定した詳細設定項目（電源ＯＮ／ＯＦＦ指示、電波ＯＮ／ＯＦＦ指示、マナーモードＯＮ／ＯＦＦ指示、バイブレータＯＮ／ＯＦＦ指示、カメラＯＮ／ＯＦＦ指示など）とこれらの設定をどれだけの時間保持するかを示す設定保持期間をあらかじめ設定しておくことで、非接触型ＩＣタグ２０に対応した設定値変更を実現することができる。
【００２８】
図５は、図１に示す携帯端末装置１０と非接触型ＩＣタグ２０との間の信号シーケンスを表す図である。図５において、まず、携帯端末装置１０は、非接触型ＩＣタグ２０を検出するために検出信号を周期的に送出し、非接触型ＩＣタグ２０がこの検出信号を感知して、これに応答を返すことで非接触型ＩＣタグ２０の検出を行う（ステップＳ１）。
【００２９】
次に、非接触型ＩＣタグ２０の検出を契機として、携帯端末装置１０と非接触型ＩＣタグ２０とで相互認証を行い（ステップＳ２）、お互いが正常（正規の製品）であることを確認する。この相互認証の後、相互認証に用いた情報（例えば、認証情報を含むＩＣタグ識別子）を元に携帯端末装置１０と非接触型ＩＣタグ２０との間で暗号化された通信路を確立する（ステップＳ３）。
【００３０】
その後、携帯端末装置１０から非接触型ＩＣタグ２０に対して、非接触型ＩＣタグ２０のＩＣタグ記憶部２２に格納されている情報要素を読み出すように情報要素読み出し要求を行う（ステップＳ４）。そして、その情報要素読み出し要求に対する情報要素通知を、非接触型ＩＣタグ２０から携帯端末装置１０へ応答信号として返す（ステップＳ５）。さらに、その後、通信の必要がなくなった場合には、携帯端末装置１０と非接触型ＩＣタグ２０との間で確立していた通信路の切断を行う（ステップＳ６）。
【００３１】
図６は、図１に示す携帯端末システムの動作の流れを示すフローチャートである。すなわち、この図は、携帯端末装置１０が非接触型ＩＣタグ２０（本図内では単にＩＣタグと表現している）を検出し、図５の信号シーケンスを行って非接触型ＩＣタグ２０に書き込まれた情報要素を読み出したときに、携帯端末装置１０で行われる処理の流れを示すフローチャートである。なお、このフローチャートでは、非接触型ＩＣタグを単にＩＣタグと表現している。
【００３２】
まず、携帯端末装置１０が非接触型ＩＣタグ２０の検出を行ったか否かを判定し（ステップＳ１１）、非接触型ＩＣタグ２０が検出された場合は（ステップＳ１１でＹＥＳ）、図５の通信シーケンスに従って通信路を確立して、携帯端末装置１０は非接触型ＩＣタグ２０と通信を行い、非接触型ＩＣタグ２０内の情報要素を取得する（ステップＳ１２）。なお、ステップＳ１１で非接触型ＩＣタグ２０が検出されない場合は（ステップＳ１１でＮＯ）、処理を終了する。
【００３３】
次に、携帯端末装置１０は、情報要素を読み取った非接触型ＩＣタグ２０が設定変更用（モード変更用）の非接触型ＩＣタグ２０であるか否かを判定する（ステップＳ１３）。ここで、携帯端末装置１０が読み取った情報要素が設定変更用（モード変更用）のものであれば（ステップＳ１３でＹＥＳ）、携帯端末装置１０に現在設定されているモードが何であるかを判定し（ステップＳ１４）、現在設定されているモードが外部指定モード以外のものであれば、現在、携帯端末装置１０に設定されている設定値を保存し、外部指定モードに変更する（ステップＳ１５）。一方、ステップＳ１４で、モードが外部指定モードのときはステップＳ１５の処理をスキップする。なお、ステップＳ１３で、携帯端末装置１０が読み取った情報要素が設定変更用（モード変更用）のものでなければ（ステップＳ１３でＮＯ）、処理を終了する。
【００３４】
次に、非接触型ＩＣタグ２０に書き込まれた情報要素の指定方式は何であるかの判定を行い（ステップＳ１６）、非接触型ＩＣタグ２０に書き込まれた情報要素の指定方式がユーザ指定である場合は、非接触型ＩＣタグ２０の情報要素の固有番号に対応したユーザがあらかじめ指定してある携帯端末装置１０の設定値に変更する（ステップＳ１７）。
【００３５】
また、非接触型ＩＣタグ２０に書き込まれた情報要素の指定方式が非接触型ＩＣタグ指定の場合は、非接触型ＩＣタグ２０の情報要素で指定される詳細設定項目に従って携帯端末装置１０の設定値を変更する（ステップＳ１８）。
【００３６】
次に、設定変更内容に電源ＯＦＦの指示がある可否かの判定を行い（ステップＳ１９）、電源ＯＦＦの指示がある場合は（ステップＳ１９でＹＥＳ）、電源ＯＦＦの処理を起動して（ステップＳ２０）、処理を終了する。また、ステップＳ１９で、電源ＯＦＦの指示がない場合は（ステップＳ１９でＮＯ）、ステップＳ２０の処理をスキップして処理を終了する。
【００３７】
なお、図６のステップＳ１７の処理部分で非接触型ＩＣタグに対応したユーザ指定の設定値がない場合は、ユーザ指定の設定値を携帯端末装置１０に設定するためにユーザ操作を促す処理を入れてもよい。また、図６のステップＳ１８の処理部分で、非接触型ＩＣタグで指定される詳細な設定値の代わりに、非接触型ＩＣタグで指定されるモード分類（図４参照）の種別に割り付けられた携帯端末装置１０内で指定される設定値に変更する方法をとることもできる。
【００３８】
図７は、図６のフローチャートで携帯端末装置１０のモードを外部指定モードに変更したときの解除処理を説明するフローチャートである。すなわち、図７のフローチャートは、ユーザ操作によって携帯端末装置１０で外部指定モードの解除を行った場合や、外部指定モードにある携帯端末装置１０によって周期的に非接触型ＩＣタグ２０の検出を行っていたが、非接触型ＩＣタグ２０が検出されなくなった場合などの契機でこれらの処理を実行するときの処理の流れを示している。
【００３９】
まず、携帯端末装置１０に現在設定されているモードは何であるかを判定する（ステップＳ２１）。ここで、携帯端末装置１０に現在設定されているモードが外部指定モードである場合は、携帯端末装置１０に保持された外部指定モードに遷移する前のモード及び設定値に戻し、通常モードに変更する（ステップＳ２２）。一方、携帯端末装置１０に現在設定されているモードが外部指定モード以外の場合はステップＳ２２の処理をスキップする。
【実施形態２】
【００４０】
この発明の第２の実施形態に係る携帯端末システムの基本的構成は図１と同じである。前述の第１の実施形態では、携帯端末装置１０が非接触型ＩＣタグ２０を検出する契機を、消費電力の観点によりユーザによるモード切替キーの押下などの操作時とした。しかし、第２の実施形態では、携帯端末装置１０が非接触型ＩＣタグ２０を検出する契機を、携帯端末装置１０が給電中にある場合としている。
【００４１】
図８は、この発明の第２の実施形態に係る携帯端末装置のユーザ操作を表した概念図である。すなわち、図８に示すように、（ａ）通常モードの携帯端末装置１０を非接触型ＩＣタグ２０にかざすとき、（ｄ）その携帯端末装置１０に給電されている間は、周期的に非接触型ＩＣタグ２０の検出を行って外部指定モードに設定変更を行い、（ｅ）携帯端末装置１０に給電されなくなったときは通常モードに設定変更を行う。
【実施形態３】
【００４２】
図９は、この発明の第３の実施形態に係る携帯端末装置のユーザ操作を表した概念図である。なお、第３の実施形態に係る携帯端末システムの基本的構成は図１と同じである。すなわち、図９に示すように、（ａ）携帯端末装置１０が通常モードの状態でユーザ操作により外部指定モードになったら周期的に非接触型ＩＣタグ２０の検出を行い、（ｆ）携帯端末装置１０が外部指定モードにある場合に、検出周期を設定保持期間満了の直前に再検出を行うことで、携帯端末装置１０が非接触型ＩＣタグ２０の上に置いてある間は外部指定モードの状態にしておき、（ｇ）携帯端末装置１０が非接触型ＩＣタグ２０の上にないときは通常モードに切り替える。
【００４３】
以上説明したように、この発明の携帯端末システムは、個人利用（例えば、外出／帰宅でモード変更を行うような利用）から、公共での利用（例えば、電車の乗降やコンサートホールへの入退場においてモード変更を行うような利用）のケースまで、全てに対応させて設定変更を行うことができる。すなわち、公共の場においては、市場に存在する非接触型ＩＣタグの内容を変更しなくても、その非接触型ＩＣタグを継続して利用することができる。言い換えると、設置エリアにふさわしいモードを非接触型ＩＣタグに書き込めばそのまま利用することができる。また、非接触型ＩＣタグに書き込む固有番号に対応した携帯端末装置の設定変更を行うことができる。これにより、複数の非接触型ＩＣタグ(ただし、固有番号は同一)に対応して同じ携帯端末装置の設定変更を行うことが可能となる。したがって、例えば、企業において複数の会議室にその非接触型ＩＣタグを設置することで、どの会議室でも同一の設定変更を行うことが可能となる。
【００４４】
また、固有番号をユニークに設定することで、それぞれに対応した別々の携帯端末装置の設定変更も可能になる。例えば、携帯端末装置側で変更する設定情報を非接触型ＩＣタグに書き込んでおき、この変更情報を受信した携帯端末装置で指定された通りに設定変更を行うと共に、さらに次のような動作を加える。すなわち、非接触型ＩＣタグによる設定変更を一時的な変更(外部指定モード)とし、簡単に元に戻せるようにする。また、非接触型ＩＣタグによる設定変更を有効にする変更期間情報を追加する。これにより設定内容を元に戻す直前に、再度、非接触型ＩＣタグの検出を自動的に行わせることで、外部指定モードで非接触型ＩＣタグを検出している間は、非接触型ＩＣタグで指定する変更内容のままにすることができる。
【００４５】
また、携帯端末装置の給電中には周期的に非接触型ＩＣタグの検出を行わせることで、給電中でかつ非接触型ＩＣタグを検出できるときに、非接触型ＩＣタグで指定する変更内容のままにすることができる。このようにして、携帯端末装置は、非接触型ＩＣタグの設置エリアにふさわしいモードをその非接触型ＩＣタグに書き込み、かつ、自己の設定内容もそのエリアにふさわしい設定値に変更する。
【００４６】
以上、この発明の実施形態を図面を参照して詳述してきたが、具体的な構成はこの実施形態に限られるものではなく、この発明の要旨を逸脱しない範囲の設計の変更等があってもこの発明に含まれる。例えば、非接触型ＩＣタグは、ＲＦＩＤアンテナを備え、電池を内蔵していない無電池（パッシブ）型に限らず、外部から給電される給電型のものでもよい。
【産業上の利用可能性】
【００４７】
この発明の携帯端末システムは、携帯電話機、ＰＨＳ(Personal Handyphone System)、ＰＤＡ(Personal Data Assistance、Personal Digital Assistants：個人向け携帯型情報通信機器)、ＧＳＭ(Global System for Mobile Communications)、３ＧＰＰ(Third Generation Partnership Project)、ＣＤＭＡ２０００(Code Division Multiple Access 2000)、携帯ＩＰ(Internet Protocol)電話等の携帯端末装置でありＩＣタグリーダ・ライタが可能な装置、及びこのＩＣタグリーダ・ライタと通信可能な非接触型ＩＣタグなどに有効に利用することができる。
【図面の簡単な説明】
【００４８】
【図１】この発明の第１の実施形態に係る携帯端末システムの構成図である。
【図２】この発明の第1の実施形態に係る携帯端末装置のユーザ操作を表した概念図である。
【図３】図１に示す非接触型ＩＣタグ２０に書き込まれる項目例を示す図である。
【図４】図1に示す非接触型ＩＣタグ２０に記録されている設定変更内容の項目例を示す図である。
【図５】図１に示す携帯端末装置１０と非接触型ＩＣタグ２０との間の信号シーケンスを表す図である。
【図６】図１に示す携帯端末システムの動作の流れを示すフローチャートである。
【図７】図６のフローチャートで携帯端末装置１０のモードを外部指定モードに変更したときの解除処理を説明するフローチャートである。
【図８】この発明の第２の実施形態に係る携帯端末装置のユーザ操作を表した概念図である。
【図９】この発明の第３の実施形態に係る携帯端末装置のユーザ操作を表した概念図である。
【符号の説明】
【００４９】
１０  携帯端末装置
１１  ＩＣタグリーダ・ライタ
１２  携帯端末記憶部
１３  携帯端末制御部
２０  非接触型ＩＣタグ
２１  通信部
２２  ＩＣタグ記憶部
２３  ＩＣタグ制御部
【図１】
0005057082.tif 000002
【図２】
0005057082.tif 000003
【図３】
0005057082.tif 000004
【図４】
0005057082.tif 000005
【図５】
0005057082.tif 000006
【図６】
0005057082.tif 000007
【図７】
0005057082.tif 000008
【図８】
0005057082.tif 000009
【図９】
0005057082.tif 000010